(57)【特許請求の範囲】
【請求項１】
プリペイドカードのカード識別情報と当該プリペイドカードの所有者を特定する所有者情報とを対応付けて記憶装置に格納する第１の過程と、
譲渡の対象であるプリペイドカードのカード識別情報と譲受人の通信端末を特定する譲受人情報と譲渡が予定されている譲渡予定日付と前記プリペイドカードを所有する譲渡人を特定する情報とを少なくとも含む譲渡依頼を、通信端末からネットワークを介して受信した場合に、前記譲渡依頼に含まれているカード識別情報に対応付けられて前記記憶装置に記憶されている前記所有者情報と、前記譲渡依頼に含まれている前記譲渡人を特定する情報とを照合して、前記通信端末によって前記譲渡依頼を送信した者が当該所有者情報によって特定される正当な所有者であることを確認すると、受信した前記譲渡依頼の内容を前記記憶装置に記憶しておき、記憶しておいた前記譲渡依頼に含まれる譲渡予定日付が到来すると、前記記憶装置に記憶された情報のうち前記譲渡依頼に含まれるカード識別情報に対応したプリペイドカードの前記譲渡人の所有者情報を前記譲渡依頼に含まれる譲受人情報により更新する第２の過程と、
前記第２の過程において前記更新がなされると、前記譲受人情報により特定される譲受人の通信端末にネットワークを介して前記譲渡の旨を通知し、先払いを行うための認証情報の送信を促す第３の過程と、
カード識別情報及び前記認証情報を含む先払い指示を通信端末からネットワークを介して受信したとき、当該先払い指示に含まれるカード識別情報に対応したプリペイドカードの所有者情報を前記記憶装置から読み出し、当該先払い指示の送信者が当該所有者情報によって特定された正当な所有者か否かを前記認証情報に基づいて判断し、正当な所有者であると認められる場合に前記カード識別情報により特定されるプリペイドカードの金銭的価値を当該先払い指示の送信者である前記譲受人の通信料金から減額する第４の過程と
を具備することを特徴とする通信料金処理方法。
【請求項２】
前記第２の過程において、プリペイドカードが譲渡されたことを前記譲受人に通知するとともに、当該譲受人に対して意見調査を実施することを特徴とする請求項１に記載の通信料金処理方法。
【請求項３】
プリペイドカードのカード識別情報と当該プリペイドカードの所有者を特定する所有者情報とを対応付けて格納する記憶手段と、
譲渡の対象であるプリペイドカードのカード識別情報と譲受人の通信端末を特定する譲受人情報と譲渡が予定されている譲渡予定日付と前記プリペイドカードを所有する譲渡人を特定する情報とを少なくとも含む譲渡依頼を通信端末からネットワークを介して受信する第１の受信手段と、
前記譲渡依頼に含まれているカード識別情報に対応付けられて前記記憶手段に記憶されている前記所有者情報と、前記譲渡依頼に含まれている前記譲渡人を特定する情報とを照合して、前記通信端末によって前記譲渡依頼を送信した者が当該所有者情報によって特定される正当な所有者であることを確認すると、受信した前記譲渡依頼の内容を前記記憶手段に記憶しておき、記憶しておいた前記譲渡依頼に含まれる譲渡予定日付が到来すると、前記記憶手段に記憶された情報のうち前記譲渡依頼に含まれるカード識別情報に対応したプリペイドカードの前記譲渡人の所有者情報を前記譲渡依頼に含まれる譲受人情報により更新する更新手段と、
前記更新手段によって前記更新がなされると、前記譲受人情報により特定される譲受人の通信端末にネットワークを介して前記譲渡の旨を通知し、先払いを行うための認証情報の送信を促す通知手段と、
カード識別情報及び前記認証情報を含む先払い指示を通信端末からネットワークを介して受信する第２の受信手段と、
前記先払い指示に含まれるカード識別情報に対応したプリペイドカードの所有者情報を前記記憶手段から読み出す読み出し手段と、
前記先払い指示の送信者が前記読み出し手段によって読み出された当該所有者情報によって特定された正当な所有者か否かを前記認証情報に基づいて判断し、正当な所有者であると認められる場合に前記カード識別情報により特定されるプリペイドカードの金銭的価値を当該先払い指示の送信者である前記譲受人の通信料金から減額する通信料金処理手段と
を具備することを特徴とする管理サーバ。
【発明の詳細な説明】
【０００１】
【発明の属する技術分野】
本発明は、携帯電話機やＰＨＳ（Personal Handyphone System）などの移動機の通信料金処理に関し、特に、移動機の通信料金の先払いにプリペイドカードを用いる通信料金処理方法および管理サーバに関する。
【０００２】
【従来の技術】
近年、携帯電話機やＰＨＳなどの移動機のユーザが、プリペイドカードを購入することにより通信料金の先払いを行うといったことが行われている。
この通信料金の先払いに用いられるプリペイドカードの一例として、プリペイドカードの背面などに、プリペイドカードごとに固有の番号（以下、「カード番号」と称する）を印刷したものがある。このカード番号は、プリペイドカードの発行元である通信事業者により、ユーザが先払いした額と対応付て管理されている。プリペイドカードの購入者（ユーザ）が、このカード番号を通信事業者に通知することにより、カード番号に対応した先払い額だけ通信料金が減算される。
このようなプリペイドカードは、対価的価値を有することから、贈答品などとして広く用いられている。
【０００３】
【発明が解決しようとする課題】
しかしながら、自分の所持するプリペイドカードを、例えば友人などにプレゼントとして譲渡するような場合、友人にプリペイドカードが届くまでに、カード番号が第３者に知られる恐れがある。このような場合に、プリペイドカードを譲渡された友人よりも先に、この第３者がカード番号を通信事業者に通知すると、この第３者の通信料金が先払い額だけ減額されることとなり、友人は、譲渡されたプリペイドカードを使用できなくなる。
このように、従来の技術にあっては、プリペイドカードを譲渡する際に、意図しない第３者によりプリペイドカードが使用されてしまう恐れがある、といった問題があった。
【０００４】
本発明は、上述した事情に鑑みてなされたものであり、その目的とするところは、プリペイドカードを安全に所望の相手に譲渡できる通信料金処理方法および管理サーバを提供することを目的とする。
【０００５】
【課題を解決するための手段】
上記目的を達成するために、本発明にかかる通信料金処理方法は、プリペイドカードのカード識別情報と当該プリペイドカードの所有者を特定する所有者情報とを対応付けて記憶装置に格納する第１の過程と、譲渡の対象であるプリペイドカードのカード識別情報と譲受人の通信端末を特定する譲受人情報と譲渡が予定されている譲渡予定日付と前記プリペイドカードを所有する譲渡人を特定する情報とを少なくとも含む譲渡依頼を、通信端末からネットワークを介して受信した場合に、前記譲渡依頼に含まれているカード識別情報に対応付けられて前記記憶装置に記憶されている前記所有者情報と、前記譲渡依頼に含まれている前記譲渡人を特定する情報とを照合して、前記通信端末によって前記譲渡依頼を送信した者が当該所有者情報によって特定される正当な所有者であることを確認すると、受信した前記譲渡依頼の内容を前記記憶装置に記憶しておき、記憶しておいた前記譲渡依頼に含まれる譲渡予定日付が到来すると、前記記憶装置に記憶された情報のうち前記譲渡依頼に含まれるカード識別情報に対応したプリペイドカードの前記譲渡人の所有者情報を前記譲渡依頼に含まれる譲受人情報により更新する第２の過程と、前記第２の過程において前記更新がなされると、前記譲受人情報により特定される譲受人の通信端末にネットワークを介して前記譲渡の旨を通知し、先払いを行うための認証情報の送信を促す第３の過程と、カード識別情報及び前記認証情報を含む先払い指示を通信端末からネットワークを介して受信したとき、当該先払い指示に含まれるカード識別情報に対応したプリペイドカードの所有者情報を前記記憶装置から読み出し、当該先払い指示の送信者が当該所有者情報によって特定された正当な所有者か否かを前記認証情報に基づいて判断し、正当な所有者であると認められる場合に前記カード識別情報により特定されるプリペイドカードの金銭的価値を当該先払い指示の送信者である前記譲受人の通信料金から減額する第４の過程とを備えている。
【０００６】
また、上記目的を達成するために、本発明にかかる管理サーバは、プリペイドカードのカード識別情報と当該プリペイドカードの所有者を特定する所有者情報とを対応付けて格納する記憶手段と、譲渡の対象であるプリペイドカードのカード識別情報と譲受人の通信端末を特定する譲受人情報と譲渡が予定されている譲渡予定日付と前記プリペイドカードを所有する譲渡人を特定する情報とを少なくとも含む譲渡依頼を通信端末からネットワークを介して受信する第１の受信手段と、前記譲渡依頼に含まれているカード識別情報に対応付けられて前記記憶手段に記憶されている前記所有者情報と、前記譲渡依頼に含まれている前記譲渡人を特定する情報とを照合して、前記通信端末によって前記譲渡依頼を送信した者が当該所有者情報によって特定される正当な所有者であることを確認すると、受信した前記譲渡依頼の内容を前記記憶手段に記憶しておき、記憶しておいた前記譲渡依頼に含まれる譲渡予定日付が到来すると、前記記憶手段に記憶された情報のうち前記譲渡依頼に含まれるカード識別情報に対応したプリペイドカードの前記譲渡人の所有者情報を前記譲渡依頼に含まれる譲受人情報により更新する更新手段と、前記更新手段によって前記更新がなされると、前記譲受人情報により特定される譲受人の通信端末にネットワークを介して前記譲渡の旨を通知し、先払いを行うための認証情報の送信を促す通知手段と、カード識別情報及び前記認証情報を含む先払い指示を通信端末からネットワークを介して受信する第２の受信手段と、前記先払い指示に含まれるカード識別情報に対応したプリペイドカードの所有者情報を前記記憶手段から読み出す読み出し手段と、前記先払い指示の送信者が前記読み出し手段によって読み出された当該所有者情報によって特定された正当な所有者か否かを前記認証情報に基づいて判断し、正当な所有者であると認められる場合に前記カード識別情報により特定されるプリペイドカードの金銭的価値を当該先払い指示の送信者である前記譲受人の通信料金から減額する通信料金処理手段とを備えている。
【０００７】
上述した第１の通信料金処理方法および第１の管理サーバによれば、プリペイドカードのカード識別情報と当該プリペイドカードの所有者を特定する所有者情報とが対応付けて記憶装置に格納されており、譲渡の対象であるプリペイドカードのカード識別情報と譲受人を特定する譲受人情報とを少なくとも含む譲渡依頼が通信端末からネットワークを介して受信された場合に、前記記憶装置に記憶された情報のうち前記譲渡依頼に含まれるカード識別情報に対応したプリペイドカードの所有者情報が前記譲渡依頼に含まれる譲渡人情報により更新される。そして、カード識別情報を含む先払い指示を通信端末からネットワークを介して受信されたとき、当該先払い指示に含まれるカード識別情報に対応したプリペイドカードの所有者情報が前記記憶装置から読み出され、次いで、当該先払い指示の送信者が当該所有者情報によって特定された正当な所有者か否かが判断され、正当な所有者であると認められる場合に前記カード識別情報により特定されるプリペイドカードの金銭的価値が当該先払い指示の送信者の通信料金から減額される。
【０００８】
次いで、上記目的を達成するために、本発明にかかる第２の通信料金処理方法は、プリペイドカードのカード識別情報と、当該識別情報が正当なものであることを示す認証情報とを対応付けて記憶装置に格納する第１の過程と、購入者の購入申込に応じて前記カード識別情報と、当該カード識別情報に対応する認証情報とを購入者に配布する第２の過程と、カード識別情報と、認証情報とを含む先払い指示を通信端末からネットワークを介して受信したとき、当該先払い指示に含まれるカード識別情報に対応した認証情報を前記記憶装置から読み出し、当該先払い指示に含まれる認証情報が当該カード識別情報によって特定された正当な認証情報か否かを判断し、正当な認証情報であると認められる場合に前記カード識別情報により特定されるプリペイドカードの金銭的価値を当該先払い指示の送信者の通信料金から減額する第３の過程とを備えている。
【０００９】
また、上記目的を達成するために、本発明にかかる第２の管理サーバは、プリペイドカードのカード識別情報と、当該識別情報が正当なものであることを示す認証情報とを対応付けて格納する記憶手段と、購入者の購入申込に応じて前記カード識別情報と、当該カード識別情報に対応する認証情報とを購入者に配布する配布手段と、カード識別情報と、認証情報とを含む先払い指示を通信端末からネットワークを介して受信する受信手段と、前記先払い指示に含まれるカード識別情報に対応した認証情報を前記記憶手段から読み出す読み出し手段と、前記先払い指示に含まれる認証情報が当該カード識別情報によって特定された正当な認証情報か否かを判断し、正当な認証情報であると認められる場合に前記カード識別情報により特定されるプリペイドカードの金銭的価値を当該先払い指示の送信者の通信料金から減額する通信料金処理手段とを備えている。
【００１０】
上述した第２の通信料金処理方法および第２の管理サーバによれば、プリペイドカードのカード識別情報と、当該識別情報が正当なものであることを示す認証情報とが対応付けて記憶装置に格納されており、購入者の購入申込に応じて前記カード識別情報と、当該カード識別情報に対応する認証情報とが購入者に配布される。また、カード識別情報と、認証情報とを含む先払い指示が通信端末からネットワークを介して受信されたときに、当該先払い指示に含まれるカード識別情報に対応した認証情報が前記記憶装置から読み出され、当該先払い指示に含まれる認証情報が当該カード識別情報によって特定された正当な認証情報か否かが判断され、正当な認証情報であると認められる場合に前記カード識別情報により特定されるプリペイドカードの金銭的価値が当該先払い指示の送信者の通信料金から減額される。
【００１１】
【発明の実施の形態】
以下、図面を参照して本発明の実施形態について説明する。
【００１２】
＜第１実施形態＞
図１は、本発明の第１実施形態にかかる通信料金処理システムの構成の一例を示す概略図である。図１において、移動機１０は、携帯電話機やＰＨＳなどの通信端末であり、ユーザＵによって携帯されるものである。この移動機１０は、記憶部を有しており、この記憶部には、アプリケーションプログラムとしてＷＷＷ（World Wide Web）ブラウザが記憶されている。このＷＷＷブラウザは、ＨＴＴＰ（HyperText Transfer Protocol）を用いて他の通信端末とデータ通信を行う処理と、ＨＴＭＬ（HyperText Markup Language）データを取得して、取得したＨＴＭＬデータに対応してＷｅｂページを移動機１０の表示部に表示する処理と、電子メールの作成や送受信を行う処理とを移動機１０に実行させるものである。
【００１３】
移動通信網４は、移動電話網や移動パケット通信網などを含む網であり、この移動通信網４に収容された移動機１０に対して音声通話サービスやパケット通信サービスなどの移動通信サービスを提供するためのものである。また、移動通信網４には、多数の基地局４０が設けられている。これらの基地局４０は、自局４０の無線セル内に在圏する移動機１０との間で無線通信を行う。
【００１４】
移動通信網４には、交換機４２ａ、４２ｂが多数接続されている。それぞれの交換機４２ａ、４２ｂには、基地局４０が多数接続されている。
交換機４２ａは、移動通信網４のうち移動電話網に接続されるものであり、スイッチング動作を行うことにより、移動機１０と他の通信端末との間に移動通信網４を介した通信路を形成するものである。一方、交換機４２ｂは、移動通信網４のうち移動パケット通信網に接続されるものであり、移動機１０と、この移動機１０の通信相手装置との間で授受されるパケットデータを中継するものである。
【００１５】
また、交換機４２ａ、４２ｂのそれぞれは、移動機１０の通信量を計測する機能と、計測した通信量と移動機１０を識別するための識別情報（例えば移動機電話番号）とを対応付けて記憶する機能を備えている。さらに説明すると、交換機４２ａは、移動機１０の通信時間を計測し、交換機４２ｂは、移動機１０によって送信または受信されるパケットデータ量を計測する。これらの計測された通信量は、対応する移動機１０の通信料金を算出する際に用いられるものである。なお、以下では特に区別する必要がないときには、交換機４２ａ、４２ｂを交換機４２と総称する。
【００１６】
移動通信網４は、ゲートウェイサーバ８を介してインターネット２に接続されている。ゲートウェイサーバ８は、異なる通信プロトコルが用いられるネットワーク間で授受されるデータを中継するものである。このデータ中継により、移動通信網４に収容された移動機１０は、インターネット２に接続された通信端末と、移動通信網４を介して相互にデータの授受を行うことができる。
【００１７】
管理サーバ２００は、移動機１０に対して移動通信サービスを提供する通信事業者が所有する装置である。この管理サーバ２００は、通信事業者と通信利用契約を行ったユーザ（加入者）Ｕに関するユーザ情報を一元管理している。
さらに説明すると、管理サーバ２００は、ゲートウェイサーバ１２０とルータ１１０ｂとを介して移動通信網４と接続されており、交換機４２から、この交換機４２が計測した通信量と、この通信量だけ通信を行った移動機の電話番号とを取得することにより、移動機１０のユーザＵの通信料金を管理する。この他にも、管理サーバ２００は、ユーザ情報としてユーザＵの連絡先や、電子メールアドレスなどを管理する。
【００１８】
また、管理サーバ２００は、ゲートウェイサーバ１２０とルータ１１０ａとを介してインターネット２に接続されており、インターネット２に接続された通信端末とデータの授受を行う。
【００１９】
より具体的には、管理サーバ２００は、Ｗｅｂサーバ機能を備えており、ＵＲＬ（Uniform Resource Locator）により指定されるＨＴＭＬデータの取得要求（以下、「Ｇｅｔ要求」と称する）を通信端末からネットワークを介して取得した場合に、取得したＵＲＬに対応するＨＴＭＬデータをその通信端末に送信する。また、このＷｅｂサーバ機能には、ＳＳＬ（Secure Socket Layer）暗号化プロトコルを用いてデータ通信を行う機能が含まれており、管理サーバ２００は、ＳＳＬ暗号化プロトコル対応のＷＷＷブラウザとの間で秘匿性の高いデータ通信を行う。
さらに、この管理サーバ２００は、電子メールを送信するＳＭＴＰ（Simple Mail Transfer Protocol）サーバの機能をも備えており、電子メールをその宛先である通信端末に配信する。なお、管理サーバ２００の構成については、後述する。
【００２０】
移動通信網４により通信サービスを提供する通信事業者は、各地に店舗を有しており、それぞれの店舗には、店舗端末６０が設けられている。店舗端末６０は、事業者専用網６を介して、他の通信端末とデータの授受を行う。この事業者専用網６は、各店舗端末６０間を専用回線で結ぶなどして形成された網であってもよく、また、ＶＰＮ（Virtual Private Network）などのように公衆回線（網）を使った仮想的な専用網であってもよい。この事業者専用網６には、ゲートウェイサーバ１２０とルータ１１０ｃとを介して管理サーバ２００が接続されており、管理サーバ１２０と店舗端末６０とは、予め定められた通信プロトコルを用いて相互にデータの授受を行うことができる。
【００２１】
会社サーバ２０は、ある法人が所有する会社に設置された通信端末であり、インターネット２に接続されている。この会社サーバ２０は、ＳＳＬ暗号化プロトコル対応のＷＷＷブラウザを備えており、ＳＳＬ暗号化プロトコルを用いて管理サーバ２００とデータの授受を行う。これにより、会社サーバ２０と管理サーバ２００との間で行われるデータ通信は、秘匿性の高いものとなっている。
【００２２】
図２は、管理サーバ２００の機能的構成を示すブロック図である。
同図に示されるように、管理サーバ２００は、各部を制御する手段として制御部２１０を有している。この制御部２１０は、ＣＰＵ（Central Processing Unit）と、ＲＡＭ（Random Access Memory）やＲＯＭ（Read Only Memory）などの記憶媒体を備え、データの入出力や、各種演算、データの一時的な格納などを行う。
【００２３】
また、通信Ｉ／Ｆ部２３０は、制御部２１０の制御の下、インターネット２や移動通信網４などのネットワークを介してこの管理サーバ２００と他の通信端末との間で行われるデータの授受を制御するものである。
【００２４】
次いで、記憶装置２４０〜記憶装置２４６は、それぞれ磁気ディスクやＲＯＭなどの記憶媒体を備えた記憶装置であり、次のファイルやデータなどを記憶している。
先ず、記憶装置２４０は、制御プログラム、Ｗｅｂサーバプログラム、ＳＭＴＰサーバプログラムなどの各種プログラムを記憶している。制御プログラムは、制御部２１０に制御を行わせるプログラムであり、Ｗｅｂサーバプログラムは、管理サーバ２００をＷｅｂサーバとして機能させるプログラムである。また、ＳＭＴＰプログラムは、管理サーバ２００をメールサーバとして機能させるプログラムである。
【００２５】
次いで、記憶装置２４１は、カード管理ファイルＣＭＦを格納している。このカード管理ファイルＣＭＦは、電子プリペイドカードの発行状況などを管理するためのものである。ここで、電子プリペイドカードとは、通信料金の支払いに充当可能な金銭的な価値を持った仮想的なカードである。発行される各電子プリペイドカードには、各々固有のカード識別コードが付与される。あるユーザが、電子プリペイドカードの対価を事業者に支払うと、その電子プリペイドカードのカード識別コードがユーザに通知される。この手続によりユーザは、その電子プリペイドカードの所有者となる。この電子プリペイドカードの所有者は、カード識別コードと通信料金の先払いの指示を管理サーバ２００に送ることにより、電子プリペイドカードの金銭的価値を通信料金に充当することができる。
【００２６】
図３は、カード管理ファイルＣＭＦの一例を示す概念図である。カード管理ファイルＣＭＦには、電子プリペイドカードが生成される度に、その電子プリペイドカードに関するレコードが追加される。図３に示すように、１件の電子プリペイドカードに関するレコードは、カード識別コードと、電子プリペイドカードの金銭的価値である先払い額とを備える。なお、図３には、カード識別コードとして英数字により表される文字列が例示されているが、カード識別コードの重複を防ぐため、例えば電子プリペイドカードが発行もしくは生成された日時情報などといった重複することのない時間情報からカード識別コードを生成することが望ましい。
【００２７】
また、電子プリペイドカードに関するレコードには、カード識別コードが発行されたか否か、すなわち、各電子プリペイドカードが販売されたか否かを示す発行状況が含まれている。
【００２８】
次に、記憶装置２４２は、所有者管理ファイルＰＭＦを格納している。この所有者管理ファイルＰＭＦは、電子プリペイドカードの所有者を管理するためのものである。図４は、所有者管理ファイルＰＭＦの一例を示す概念図である。所有者管理ファイルＰＭＦは、所有者に関するレコードから構成されており、図４に示すように、１件の所有者に関するレコードは、所有者氏名と、所有者連絡先と、カード識別コードと、先払い額とにより構成されている。
【００２９】
また、記憶装置２４３は、ユーザ管理ファイルＵＭＦを格納している。このユーザ管理ファイルＵＭＦは、移動機１０により移動通信網４を利用した通信サービスを受ける各ユーザＵを管理するためのものである。図５は、ユーザ管理ファイルＵＭＦの一例を示す概念図である。ユーザ管理ファイルＵＭＦには、ユーザＵが増える度に、そのユーザＵに関するレコードが追加される。図５に示すように、１件のユーザに関するレコードは、ユーザ氏名と、ユーザＵの連絡先と、ユーザＵの所有する移動機電話番号と、ユーザＵの電子メールアドレスと、そのユーザＵに対応した課金情報とにより構成されている。さらに、課金情報は、移動機１０の通信料金と、通信料金の先払い額とを含んでいる。通信料金は、交換機４２ａ、４２ｂのそれぞれから取得された通信量にしたがって算出されたものである。一方、先払い額は、ユーザＵが通信料金の先払いを行った金額を示すものであり、通信料金の精算時には、通信料金から先払い額が減算されるようになっている。
【００３０】
本実施形態において、電子プリペイドカードの所有者は、その所有権を他者に譲渡することができる。
このような電子プリペイドカードの譲渡を管理するため、図２に示す記憶装置２４４は、譲渡管理ファイルＡＭＦを格納している。図６は、この譲渡管理ファイルＡＭＦの一例を示す概念図である。譲渡管理ファイルＡＭＦには、譲渡の依頼がある度に、その譲渡に関するレコードが追加される。図６に示すように、１件の譲渡に関するレコードは、譲渡人情報と、譲受人情報と、カード識別コードと、添付メッセージと、譲渡日付とにより構成されている。
【００３１】
譲渡人情報には、譲渡人氏名と連絡先とが含まれており、譲受人情報には、譲受人氏名と、譲受人の移動機電話番号と、譲受人の誕生日とが含まれている。
この譲受人の誕生日は、電子プリペイドカードの譲受人が電子プリペイドカードを通信料金の精算に使用する際に、この譲受人が正当な譲受人であるかを判別するための認証データである。なお、認証データは、譲受人の誕生日に限らず、譲受人本人であることを確認できるものであれば任意のものを用いることができる。
【００３２】
譲渡額は、譲受人に譲渡する金額、すなわち、譲渡する電子プリペイドカードの金額である。譲渡日付は、電子プリペイドカードの譲渡を行う日付である。添付メッセージは、譲渡人から譲受人に送られるメッセージである。このメッセージは、譲渡処理がなされた際に、譲渡があった旨を示す譲渡通知とともに譲受人に送られる。
【００３３】
次いで、図２において、記憶装置２４５は、Ｗｅｂページ用のＨＴＭＬデータおよびＣＧＩ（Common Gateway Interface）プログラムを記憶している。このＣＧＩプログラムは、ネットワークを介して通信端末からＨＴＴＰを用いて送信されてきたデータの処理を制御部２１０に行わせる処理プログラムである。ＣＧＩプログラムとしては、ＷＷＷブラウザから送信されてきたＩＤとパスワードとに対して認証を行う認証処理プログラムや、ＷＷＷブラウザから送信されてきた情報にしたがって記憶装置に記憶されている各種ファイルを検索する検索処理プログラム、検索した結果に応じてＨＴＭＬデータを作成するＨＴＭＬデータ作成処理プログラム、アンケート集計処理プログラムなどが記憶されている。
【００３４】
また、記憶装置２４６には、アンケート集計結果が記憶されている。このアンケート集計結果は、通信端末からネットワークを介して取得されるものである。
なお、記憶装置２４０から記憶装置２４６までに記憶されている各種プログラムおよび各種データを１つの記憶装置に記憶するような構成にしてもよい。
【００３５】
図７は、店舗端末６０と管理サーバ２００との動作を示すシーケンス図である。この図を参照し、購入者が電子プリペイドカードを購入する場合の実施形態の動作について説明する。
先ず、電子プリペイドカードの購入を希望する購入者は、店舗を訪れ、この店舗の店員に電子プリペイドカードを購入する旨を告げる。店員は、購入申込情報として購入者氏名と、連絡先（住所や電話番号など）と、電子プリペイドカードの購入金額（先払い額）とを購入者から取得し、購入者の身元を確認した上で、購入申込情報を店舗端末６０に入力する。店舗端末６０は、購入申込情報を取得すると（ステップＡ１）、取得した購入申込情報を管理サーバ２００に送信する（ステップＡ２）。
【００３６】
管理サーバ２００の制御部２１０は、購入申込情報を取得すると（ステップＡ３）、これに含まれる購入金額分の電子プリペイドカードを発行すべくカード発行処理を開始する（ステップＡ４）。
より具体的に説明すると、第１に、制御部２１０は、カード管理ファイルＣＭＦ内の電子プリペイドカードに関するそれぞれのレコードにおいて、発行状況が「未発行」のレコードの中から、先払い額の合計が購入金額になるように１または複数のレコードを選択し、そのレコードにおけるカード識別コードを求める。そして、制御部２１０は、選択したレコードの発行状況を「発行済」に書き換える。
【００３７】
第２に、制御部２１０は、取得した購入申込情報に含まれる購入者氏名を所有者氏名とし、連絡先を所有者連絡先として含み、さらに、発行するカード識別コードおよびその先払い額とを含む新規レコードを生成し、この新規レコードを所有者管理ファイルＰＭＦに追加する。
【００３８】
次いで、制御部２１０は、購入者に発行する電子プリペイドカードのカード識別コードを店舗端末６０に送信する（ステップＡ５）。店舗端末６０は、管理サーバ２００からカード識別コードを取得すると、この取得したカード識別コードを例えばカードライターなどの出力装置に出力する。この出力装置は、カード識別情報が印刷されたカードを出力する（ステップＡ６）。そして、店舗の店員は、この出力されたカードを購入者に渡す。
【００３９】
なお、本実施形態にあっては、移動機１０と管理サーバ２００とは、相互にデータ通信を行うことが可能であるため、移動機１０のユーザＵは、移動機１０を用いて管理サーバ２００に購入者情報を送信するなどして、電子プリペイドカードを購入することも可能である。しかしながら、電子プリペイドカードを個人に販売する場合、防犯上、販売者は、購入者の身元を確認することが望ましい。そこで、本実施形態にあっては、個人に対する電子プリペイドカードの販売は、店舗のみで行われ、店舗の店員は、電子プリペイドカードの販売に際し、購入者の身元を確認する。
【００４０】
図８は、店舗端末６０と管理サーバ２００との動作を示すシーケンス図である。この図を参照し、電子プリペイドカードの所有者が、電子プリペイドカードを移動機１０のユーザＵに譲渡する場合の動作について説明する。
先ず、譲渡人は、所有する電子プリペイドカードを譲渡するために店舗を訪れる。そして、譲渡人は、店舗の店員に譲渡依頼を申し出る。次いで、店員は、譲渡依頼情報として、譲渡人の氏名と、譲渡人連絡先と、譲受人の氏名と、譲受人連絡（住所または譲受人の所有する移動機電話番号）と、譲渡人が譲渡する電子プリペイドカードのカード識別コードと、電子プリペイドカードを譲受人に譲渡する譲渡日付（譲渡処理予定日）と、譲受人へのメッセージ（添付メッセージ）とを尋ねる。そして、店員は、譲渡人から取得した譲渡依頼情報を店舗端末６０に入力する。
【００４１】
店舗端末６０は、譲渡依頼情報を取得すると（ステップＢ１）、取得した譲渡依頼情報を管理サーバ２００に送信する（ステップＢ２）。管理サーバ２００の制御部２１０は、譲渡依頼情報を取得すると（ステップＢ３）、先ず、取得した譲渡依頼情報に含まれるカード識別コードが正当なものであるかを判別する（ステップＢ４）。すなわち、制御部２１０は、記憶装置２４２に記憶されている所有者管理ファイルＰＭＦ内に店舗端末６０から取得されたカード識別コードが含まれている否かを判断する。この判断結果が「ＮＯ」である場合、制御部２１０は、店舗端末６０から取得したカード識別コードが正式に発行されたものではない旨のエラー通知を店舗端末６０に送信する（ステップＢ５）。店舗端末６０は、エラー通知を取得すると（ステップＢ６）、例えば自端末６０の表示部に、「カード識別コードが不正です。」といった旨を表示した後、処理を終了する。
【００４２】
一方、ステップＢ４における判断結果が「ＹＥＳ」である場合、管理サーバ２００の制御部２１０は、店舗端末６０から取得したカード識別コードが譲渡人に発行された電子プリペイドカードのカード識別コードであるかを判別する。より具体的に説明すると、制御部２１０は、所有者管理ファイルＰＭＦの中からこのカード識別コードと対応付けられた所有者情報を取り出し、これと店舗端末６０から取得した譲渡依頼情報とを比較して、所有者と譲渡人とが同一であるか否かを判断する（ステップＢ７）。この判断結果が「ＮＯ」である場合、制御部２１０は、所有者と譲渡人とが同一でない旨のエラー通知を店舗端末６０に送信する（ステップＢ８）。店舗端末６０は、エラー通知を取得すると（ステップＢ９）、例えば自端末６０の表示部に、「この電子プリペイドカードは、他の人に発行されたものです」といった旨を表示した後、処理を終了する。これにより、正当な所有者でないものによる電子プリペイドカードの譲渡を防ぐことができる。
【００４３】
また、ステップＢ７における判断結果が「ＹＥＳ」である場合、制御部２１０は、店舗端末６０から譲渡依頼情報として取得した譲渡人氏名と、譲渡人連絡先と、譲受人氏名と、譲受人連絡と、譲渡される電子プリペイドカードのカード識別コードと、添付メッセージと、譲渡日付とを譲渡管理ファイルＡＭＦ（図６参照）に記録する（ステップＢ１０）。
次いで、管理サーバ２００の制御部２１０は、店舗端末６０に、譲渡依頼が正常に記録されたことを示す処理終了通知を送信した後（ステップＢ１１）、処理を終了する。
【００４４】
管理サーバ２００の制御部２１０は、図９にフローを示す譲渡処理を予め定められた間隔で定期的に実行する。
同図に示すように、先ず、制御部２１０は、譲渡管理ファイルＡＭＦから譲渡に関するレコードを１つ取り出す（ステップＣ１）。このレコードは、既に図６を参照して説明したように、譲渡人情報と、譲受人情報と、カード識別コードと、添付メッセージと、譲渡日付とにより構成されている。制御部２１０は、この取り出したレコードにおける譲渡日付が現在の日付と一致しているか否かを判断する（ステップＣ２）。この判断結果が「Ｎｏ」である場合、制御部２１０は、ステップＣ５の処理に進み、全レコードを処理したか否かを判断する（ステップＣ５）。そして、この判断結果が「Ｎｏ」である場合には、ステップＣ１に戻り、次のレコードを取り出す。
【００４５】
一方、ステップＣ２の判断結果が「ＹＥＳ」である場合、制御部２１０は、譲渡管理ファイルＡＭＦから取り出したレコードに従って、電子プリペイドカードの所有者を変更する処理を行う（ステップＣ３）。さらに詳述すると、制御部２１０は、そのレコード中のカード識別コードを検索キーとして、この検索キーを含むレコードを所有者管理ファイルＰＭＦから取り出す。そして、制御部２１０は、取り出したレコードにおける所有者氏名を、譲渡管理ファイルＡＭＦから取り出したレコードにおける譲受人氏名に変更し、同様に、所有者連絡先を譲受人連絡先に変更する。
【００４６】
次いで、制御部２１０は、電子プリペイドカードが譲渡人から譲受人に譲渡された旨を譲受人に通知する処理を実行する（ステップＣ４）。
図１０は、管理サーバ２００と移動機１０との通知処理動作を示すシーケンス図である。同図に示すように、管理サーバ２００の制御部２１０は、譲受人に送信すべきＨＴＭＬデータを生成し、この生成したＨＴＭＬデータを記憶装置２４５に記憶する（ステップＤ１）。
【００４７】
具体的には、制御部２１０は、譲渡人から譲受人へのメッセージ（添付メッセージ）を表示するためのＷｅｂページ（以下、「メッセージページ」と称する）に対応するＨＴＭＬデータを生成する。また、制御部２１０は、登録ページを譲受人の移動機の画面に表示させるためのＨＴＭＬデータを生成する。この登録ページは、電子プリペイドカードのカード識別コードを管理サーバ２００に送る（以下、カード識別コードを管理サーバ２００に送ることを「登録する」と称する）ことにより、通信料金の精算を行うことを譲受人に促すＷｅｂページである。
【００４８】
次に、制御部２１０は、譲受人の移動機電話番号を検索キーとして、この検索キーを含むレコードをユーザ管理ファイルＵＭＦから取り出し、取り出したレコードにおける電子メールアドレス宛ての電子メールを生成する（ステップＤ２）。図１１は、この電子メールの一例を示す概念図である。同図に示すように、この電子メールには、電子プリペイドカードが譲渡された旨を示す文章とともに、譲渡人の氏名（図中××で示す）と、譲渡人から譲受人へ宛てたメッセージページのＵＲＬとが記述されており、譲受人（図中○○で示す）は、この電子メールを見ることで、電子プリペイドカードが誰から譲渡されたものかを識別することができる。
次いで、制御部２１０は、この電子メールを送信する（ステップＤ３）。
【００４９】
一方、譲受人であるユーザＵは、移動機１０の操作部などを操作して、管理サーバ２００から送信された電子メールを移動機１０に受信させる。移動機１０は、管理サーバ２００により送信された電子メールを受信すると（ステップＤ４）、自機１０の表示部に受信した電子メールの内容を表示する（図１１参照）。次いで、ユーザＵは、表示された電子メールの指示にしたがい、この電子メールに記述されたＵＲＬに対応したメッセージページを閲覧すべく、移動機１０の操作部を操作する。移動機１０は、かかる操作がなされると、電子メールに記述されたＵＲＬにより指定されるＨＴＭＬデータのＧｅｔ要求を管理サーバ２００に送信する（ステップＤ５）。
【００５０】
管理サーバ２００の制御部２１０は、移動機１０からＧｅｔ要求を取得すると（ステップＤ６）、このＧｅｔ要求に示されるＵＲＬに対応するＨＴＭＬデータを移動機１０に送信する（ステップＤ７）。移動機１０は、管理サーバ２００からＨＴＭＬデータを取得すると（ステップＤ８）、取得したＨＴＭＬデータに対応したＷｅｂページ、すなわち、メッセージページを自機１０の表示部に表示する。
【００５１】
図１２は、移動機１０の表示部に表示されるメッセージページを示す概念図である。同図に示すように、このメッセージページには、譲渡人から譲受人に宛てた添付メッセージが示されている。また、このメッセージページには、登録ボタンが設けられている。この登録ボタンは、譲渡された電子プリペイドカードを登録するための登録ページのＵＲＬと対応付けられており、ユーザＵが登録ボタンを押す（クリックする）ことにより、登録ページのＧｅｔ要求が管理サーバ２００に移動機１０から送信されるようになっている。
そこで、譲受人であるユーザＵは、譲り受けた電子プリペイドカードを登録するために、このＵＲＬに対応した登録ページを表示すべく、移動機１０の操作部を操作して、登録ボタンを押す。移動機１０は、登録ボタンが押されると、登録ページのＵＲＬに対応したＨＴＭＬデータのＧｅｔ要求を管理サーバ２００に送信する（ステップＤ９）。
【００５２】
管理サーバ２００は、Ｇｅｔ要求を取得すると（ステップＤ１０）、このＧｅｔ要求に示されるＵＲＬに対応したＨＴＭＬデータを移動機１０に送信する（ステップＤ１１）。
移動機１０は、管理サーバ２００からＨＴＭＬデータを取得すると（ステップＤ１２）、取得したＨＴＭＬデータに対応した登録ページを自機１０の表示部に表示する。図１３は、この登録ページを示す概念図である。同図に示すように、この登録ページには、移動機電話番号と誕生日とを入力するための欄が設けられており、ユーザＵにこれらの情報の入力を促す文章が書かれている。上述したように、移動機電話番号と誕生日とは、管理サーバ２００の制御部２１０が電子プリペイドカードの登録を行うユーザＵが正当な譲受人であるかの認証を行う際に用いられるものである。
【００５３】
さて、譲受人であるユーザＵは、移動機１０の操作部を操作するなどして移動機電話番号と自身の誕生日とを入力し、送信ボタンを押す。移動機１０は、送信ボタンが押されると、入力された移動機電話番号と誕生日とを認証情報として管理サーバ２００に送信するとともに、自機１０の表示部に表示されている登録ページのＵＲＬを管理サーバ２００に送信する（ステップＤ１３）。
管理サーバ２００の制御部２１０は、移動機１０から認証情報とＵＲＬとを取得すると（ステップＤ１４）、移動機１０のユーザＵが正当な譲受人であるかの認証処理を実行する。
【００５４】
より具体的に説明すると、制御部２１０は、譲渡管理ファイルＡＭＦから、取得した登録ページのＵＲＬと関連付けられたレコード取得し、このレコードにおける譲受人の誕生日と、取得した認証情報により示される誕生日とを比較することにより、移動機１０から取得した誕生日が正当であるか否かを判別する（ステップＤ１５）。この判別結果が「ＮＯ」である場合、制御部２１０は、移動機１０にエラー通知を送信する（ステップＤ１６）。移動機１０は、管理サーバ２００からエラー通知を取得すると（ステップＤ１７）、自機１０の表示部に、例えば「入力が間違っています」といった旨の文章を表示した後、処理を終了する。
【００５５】
一方、ステップＤ１５における判別結果が「ＹＥＳ」である場合、制御部２１０は、譲渡管理ファイルＡＭＦから取得したレコードにおける譲受人の移動機電話番号と、取得した認証情報により示される移動機電話番号とを比較することにより、取得した移動機電話番号が正当であるか否かを判別する（ステップＤ１８）。この判別結果が、「ＮＯ」である場合、制御部２１０は、移動機１０にエラー通知を送信する（ステップＤ１９）。移動機１０は、管理サーバ２００からエラー通知を取得すると（ステップＤ２０）、例えば「入力が間違っています」といった旨の文章を表示した後、処理を終了する。この結果、正当な譲受人でない者による不正な登録を防ぐことができる。
【００５６】
一方、ステップＤ１８における判別結果が「ＹＥＳ」である場合、制御部２１０は、電子プリペイドカードの金銭的価値を通信料金に充当する処理を行う（ステップＤ２１）。
より具体的に説明すると、制御部２１０は、譲渡されたカード識別コードを検索キーとして、この検索キーを含むレコードをカード管理ファイルＣＭＦから取り出す。そして、制御部２１０は、取り出したレコードにおける先払い額、すなわち、譲渡された先払い額を取得する。
次いで、制御部２１０は、取得した認証情報により示される移動機電話番号を検索キーとして、この検索キーを含むレコードをユーザ管理ファイルＵＭＦから取り出す。次に、制御部２１０は、取り出したレコードの先払い額を、譲渡された先払い額だけ増額する。そして、制御部２１０は、譲渡管理ファイルＡＭＦから処理したレコードを消去した後、移動機１０に登録完了通知を送信し（ステップＤ２２）、処理を終了する。
これにより、通信料金の精算時に、ユーザＵの通信料金から先払い額だけ減算した金額がユーザＵに課金されることとなる。
このようにして図１０に示す一連の処理が終了すると、図９における譲渡処理が終了する。そして、管理サーバ２００の制御部２１０は、全レコードを処理したか否かを判別して（ステップＣ５）、全レコードの処理が終了したときに図９の譲渡処理を終了する。
【００５７】
さて、上述した実施形態にあっては、電子プリペイドカードの所有者が一人のユーザＵに電子プリペイドカードを譲渡する場合について説明した。しかしながら、本実施形態にあっては、ある所有者が多数のユーザＵに電子プリペイドカードを配布する場合にも適用することが可能である。そこで、以下では、ある法人が懸賞広告を出し、懸賞広告への応募者の内の当選者に対して当選商品として電子プリペイドカードを譲渡するといった場合について説明する。
【００５８】
先ず、法人が当選商品として電子プリペイドカードを多数購入する場合について説明する。
管理サーバ２００は、予め、購入ページに対応するＨＴＭＬデータを記憶装置２４５に記憶している。この購入ページは、法人が電子プリペイドカードを購入する際に、購入者氏名や、購入金額などの購入申込情報を入力するためのＷｅｂページである。
法人が電子プリペイドカードを購入する場合、法人の社員が店舗を訪れ、電子プリペイドカードを購入してもよいが、以下の説明にあっては、社員が購入ページに購入申込情報を入力することにより電子プリペイドカードを購入する場合について説明する。
【００５９】
図１４は、会社サーバ２０と管理サーバ２００との動作を示すシーケンス図である。法人の社員であって、当選商品購入を担当する社員は、管理サーバ２００の法人用電子プリペイドカード購入サイトにアクセスすべく、会社サーバ２０の操作部を操作する。会社サーバ２０は、かかる操作がなされると、法人用電子プリペイドカード購入ページのＵＲＬに対応したＨＴＭＬデータのＧｅｔ要求を管理サーバ２００に送信する（ステップＥ１）。
【００６０】
管理サーバ２００の制御部２１０は、会社サーバ２０からＧｅｔ要求を取得すると（ステップＥ２）、取得したＧｅｔ要求により示されるＵＲＬに対応したＨＴＭＬデータを記憶装置２４５から読み出し、会社サーバ２０に送信する（ステップＥ３）。会社サーバ２０は、管理サーバ２００からＨＴＭＬデータを取得すると（ステップＥ４）、この取得したＨＴＭＬデータに対応したＷｅｂページ、すなわち、法人用電子プリペイドカード購入ページを自端末２０の表示部に表示する。
【００６１】
図１５は、法人用電子プリペイドカード購入ページの一例を示す概念図である。同図に示すように、購入申込情報として、法人名と、法人の住所と、電話番号と、購入担当者の氏名と、電子プリペイドカードの購入金額とを入力する欄が設けられている。
社員は、購入申込情報を入力した後、会社サーバ２０の操作部を操作して、送信ボタンを押す。会社サーバ２０は、かかる操作がなされると、入力された購入申込情報を管理サーバ２００に送信する（ステップＥ５）。
【００６２】
管理サーバ２００の制御部２１０は、会社サーバ２０から購入申込情報を取得すると（ステップＥ６）、電子プリペイドカードの発行すべく、カード発行処理を開始する（ステップＥ７）。このカード発行処理は、図７に示すステップＡ４と同様であるため、その説明を省略する。
さて、管理サーバ２００の制御部２１０は、発行すべきカード識別コードを会社サーバ２０に送信し（ステップＥ８）、処理を終了する。
【００６３】
このようにして、電子プリペイドカードを購入した法人が、懸賞当選者に対して電子プリペイドカードを譲渡する場合について説明する。
法人の社員は、電子プリペイドカードを譲渡するといった譲渡依頼を店舗の店員に対して行っても良いが、ここでは、会社サーバ２０から管理サーバ２００に譲渡依頼を送信する場合を説明する。
【００６４】
管理サーバ２００の記憶装置２４５には、法人から電子プリペイドカードの譲渡依頼を受け付けるための法人用譲渡依頼受付ページに対応したＨＴＭＬデータが記憶されている。図１６は、法人用譲渡依頼受付ページの一例を示す概念図である。同図に示すように、法人用譲渡依頼受付ページには、譲渡依頼情報として、法人名と、譲受人の移動機電話番号または電子メールアドレスと、対応する譲受人に譲渡するカード識別コードと、譲渡日付と、譲受人へのメッセージとを入力する欄が設けられている。譲受人の移動機電話番号または電子メールアドレスを入力する欄は、多数設けられており、一度に多数の人に電子プリペイドカードを譲渡できるようになっている。
また、図１６に示すように、アンケートを実施するか否かを指定するためのチェックボックスが設けられている。このアンケートは、電子プリペイドカードの譲渡人である法人により当選者に対して実施されるものである。
【００６５】
次に、会社サーバ２０から譲渡依頼情報を送信する場合の会社サーバ２０と管理サーバ２００との動作について説明する。以下の説明にあっては、法人は、当選者に対してアンケートを実施するものとする。
図１７は、会社サーバ２０と管理サーバ２００との動作を示すシーケンス図である。法人の社員は、法人用譲渡依頼受付ページを会社サーバ２０の表示部に表示させるべく、会社サーバ２０の操作部を操作する。会社サーバ２０は、かかる操作がなされると、法人用譲渡依頼受付ページのＵＲＬに対応するＨＴＭＬデータのＧｅｔ要求を管理サーバ２００に送信する（ステップＦ１）。
【００６６】
管理サーバ２００の制御部２１０は、Ｇｅｔ要求を取得すると（ステップＦ２）、Ｇｅｔ要求により示されるＵＲＬに対応したＨＴＭＬデータを記憶装置２４５から読み出して、会社サーバ２０に送信する（ステップＦ３）。会社サーバ２０は、ＨＴＭＬデータを管理サーバ２００から取得すると（ステップＦ４）、取得したＨＴＭＬデータに対応するＷｅｂページ、すなわち、法人用譲渡依頼受付ページを表示部に表示する。
【００６７】
社員は、会社サーバ２０の操作部を操作して、譲渡依頼情報を入力し、「アンケートを実施しますか」との問いに対して（図１６参照）「はい」に対応するチェックボックスをチェックした後、送信ボタンを押す。会社サーバ２０は、かかる操作がなされると、入力された譲渡依頼情報と、アンケートの実施の有無を示すアンケート実施情報とを管理サーバ２００に送信する（ステップＦ５）。
【００６８】
管理サーバ２００の制御部２１０は、譲渡依頼情報と、アンケート実施情報とを取得すると（ステップＦ６）、取得したアンケート実施情報から、法人がアンケートを実施するか否かを判別する（ステップＦ７）。この判別結果が「ＹＥＳ」である場合、制御部２１０は、アンケートに必要な情報を取得すべく、アンケート作成ページに対応するＨＴＭＬデータを会社サーバ２０に送信する（ステップＦ８）。
【００６９】
会社サーバ２０は、ＨＴＭＬデータを取得すると（ステップＦ９）、取得したＨＴＭＬデータに対応したＷｅｂページ、すなわち、アンケート作成ページを自端末２０の表示部に表示する。図１８は、アンケート作成ページの一例を示す概念図である。同図に示すように、アンケート作成ページには、アンケートの質問事項などを入力する欄や、この質問事項に対する回答形式を選択するためのチェックボックスなどが設けられており、アンケートを作成するに必要なアンケート作成情報が入力できるようになっている。
社員は、アンケート作成ページに、アンケート作成情報を入力した後、送信ボタンを押す。会社サーバ２０は、かかる操作がなされると、入力されたアンケート作成情報を管理サーバ２００に送信する（ステップＦ１０）。
【００７０】
管理サーバ２００の制御部２１０は、アンケート作成情報を取得すると（ステップＦ１１）、取得したアンケート作成情報にしたがってアンケートページに対応するＨＴＭＬデータを生成し、生成したＨＴＭＬデータを記憶装置２４５に記憶させる（ステップＦ１２）。
【００７１】
一方、ステップＦ７における判別結果が「ＮＯ」である場合、制御部２１０は、ステップＦ６において取得した譲渡依頼情報に含まれるカード識別コードが正当なものであるかを判別する（ステップＢ４）。このステップＢ４は、図８に示すステップＢ４と対応するものであり、ステップＢ４以降に行われる処理は、図８に示すステップＢ４以降の処理と同様のため、その説明を省略する。
【００７２】
さて、このようにして、譲渡管理ファイルＡＭＦに記録された譲渡依頼情報は、図９に示す譲渡処理と、図１０に示す通知処理にしたがって管理サーバ２００により処理されるが、法人がアンケートを実施する場合、管理サーバ２００は、図１０に示す通知処理において、アンケート処理を更に実行する。以下、このアンケート処理について説明する。図１９は、移動機１０と管理サーバ２００との動作を示すシーケンス図である。なお、同図において、図面が煩雑になることを防ぐため、図１０のステップＤ１からステップＤ２０までに対応する処理を省略する。
【００７３】
同図に示すように、管理サーバ２００の制御部２１０は、（ステップＤ２１）後、記憶装置２４５からアンケートページに対応するＨＴＭＬデータを読み出し、移動機１０に送信する（ステップＧ１）。移動機１０は、ＨＴＭＬデータを取得すると（ステップＧ２）、取得したＨＴＭＬデータに対応するＷｅｂページ、すなわち、アンケートページを表示部に表示する。電子プリペイドカードの当選者（移動機１０のユーザＵ）は、移動機１０の操作部を操作するなどして、アンケートページに表示された質問事項に回答した後、アンケートの回答結果を送信する命令を移動機１０に与える。移動機１０は、かかる命令を取得すると、アンケートの回答結果をアンケート結果情報として管理サーバ２００に送信する（ステップＧ３）。
【００７４】
管理サーバ２００の制御部２１０は、アンケート結果情報を取得すると（ステップＧ４）、取得したアンケート結果情報にしたがって記憶装置２４６に記憶されているアンケート集計データを更新する（ステップＧ５）。
次いで、制御部２１０は、移動機１０に登録完了通知を送信し（ステップＤ２２）、処理を終了する。
ステップＧ５において更新されたアンケート集計データは、法人の会社サーバ２０に定期的に送信され、会社サーバ２０により取得される。
このように、法人は、意見調査を実施するに際し、アンケートを作成するだけでよく、当選者に対して意見調査を簡単に行うことができる。また、その意見調査結果が管理サーバ２００から定期的に送信されるため、法人は、意見調査結果についても簡単に取得することができる。
【００７５】
以上説明したように、第１実施形態にあっては、管理サーバ２００により、電子プリペイドカードと、この所有者とが対応付けて管理されることにより、正当な所有者でない第３者が、譲渡された電子プリペイドカードのカード識別コードを知得したとしても、この電子プリペイドカードの不正な利用（登録）を防ぐことができ。
また、従来、プリペイドカードを遠隔地に住む人に譲渡する場合、プリペイドカードが譲受人に届くまでに、ある程度の日数を必要とした。しかしながら、第１実施形態によれば、譲渡人の指定する日付にしたがい迅速にプリペイドカードを譲受人に譲ることができる。
【００７６】
＜第２実施形態＞
次いで、第２実施形態について説明する。上述した第１実施形態にあっては、電子プリペイドカードを他の人に譲渡する場合、管理サーバ２００は、例えば店舗端末６０などの通信端末から譲受人に関する譲受人情報を取得し、この譲受人情報と、譲渡されたカード識別コードとを対応付けて管理する。しかしながら、電子プリペイドカードが譲渡されるたびに、管理サーバ２００は、譲受人情報を取得し、取得した譲受人情報を所有者管理ファイルＰＭＦと譲渡管理ファイルＡＭＦに記録することから、電子プリペイドカードの譲渡が頻繁に行われるような場合、所有者管理ファイルＰＭＦおよび譲渡管理ファイルＡＭＦのデータ容量が大きくなり、管理サーバ２００は、記憶容量の大きな記憶装置を備える必要がる。そこで、第２実施形態では、管理サーバ２００が譲受人情報を記憶する必要のない実施形態について説明する。
【００７７】
以下の第２実施形態にあっては、新聞販売店の販売員が景品として電子プリペイドカードを配布する場合を例示する。この新聞販売店は、地域毎に設けられたものであり、新聞販売店の販売員は、その地域に居住する住民であって、この新聞販売店と新聞の定期購読契約を結んでいる住民（以下、「顧客」と称する）に対して新聞を販売している。販売員は、この顧客に対して電子プリペイドカードを配布する。
【００７８】
図２０は、本発明の第２実施形態にかかる通信料金処理システムの構成の一例を示す概略図である。同図に示すように、第２実施形態の通信料金システムは、販売店専用網７がゲートウェイサーバ７１を介してインターネット２に接続されている点を除いて第１実施形態に示した通信料金システム（図１参照）と同様の構成である。
【００７９】
この販売店専用網７には、それぞれの新聞販売店に設けられた販売店端末７２が接続されている。この販売店端末７２は、例えば固定型ＰＣ（Personal Computer）などの通信端末であり、販売店専用網７を介して他の通信端末と相互にデータの授受を行う機能を備えている。販売店端末７２と他の通信端末との間での通信の際に用いられる通信プロトコルは、販売店端末７２と他の通信端末とが互いに用いることができるものであれば、任意のものを用いることができるようになっている。
【００８０】
また、それぞれの新聞販売店には、販売員移動機７４が設けられている。この販売員移動機７４は、ＰＤＡ(Personal Digital Assistants)や、携帯型ＰＣ（Personal Computer）、携帯電話機などの携帯型の通信端末であり、新聞販売店の販売員が新聞購読料金の集金のために顧客宅を訪れる際に、この販売員に携帯されるものである。
さらに、販売店端末７２と販売員移動機７４とは、例えばBluetooth（登録商標）や、IrDA（Infrared Data Association）などの近距離無線通信機能を有しており、この近距離無線通信機能を用いて販売店端末７２と販売員移動機７４との間で相互にデータの授受をおこなうことが可能となっている。
【００８１】
また、販売店専用網７には、販売店管理サーバ７０が接続されている。この販売店管理サーバ７０は、販売店管理センタ（不図示）に設けられたものであり、それぞれの新聞販売店を一元管理するものである。
この販売店管理サーバ７０は、ゲートウェイサーバ７１を介して、インターネット２に接続されており、管理サーバ２００’と相互にデータの授受を行うことができるようになっている。より具体的に説明すると、販売店管理サーバ７０は、ＷＷＷブラウザ機能を備えており、管理サーバ２００’と相互にデータの授受を行う。
【００８２】
図２１は、第２実施形態にかかる管理サーバ２００’の機能的構成を示すブロック図である。なお、同図において、図２に示す管理サーバ２００と対応するものについては、同一の符号を付してその説明を省略する。
同図に示すように、管理サーバ２００’は、外部機器接続Ｉ／Ｆ部２６０を備えている。この外部機器接続Ｉ／Ｆ部２６０は、ＣＤ−Ｒ（Compact Disc-Recordable）ドライブや、ＭＯ(Magneto−Optical)ディスクドライブなどの外部記憶装置が接続されるものである。
【００８３】
次いで、記憶装置２４７は、カード情報ファイルＣＩＦを格納するものである。このカード情報ファイルＣＩＦは、電子プリペイドカードに関するカード情報を管理するものである。図２２は、カード情報ファイルＣＩＦの構成を示す概念図である。カード情報ファイルＣＩＦには、電子プリペイドカードが生成される度に、その電子プリペイドカードに関するレコードが追加される。同図に示すように、１つの電子プリペイドカードに関するレコードには、カード識別コードと、先払い額と、認証コードと、暗号・復号鍵が含まれている。
【００８４】
認証コードは、電子プリペイドカードが正当なものであることを証明するものである。さらに説明すると、この認証コードは、電子プリペイドカードのカード識別コードごとに固有のコードであり、例えばある長さの英数字列から構成されている。
【００８５】
また、暗号・復号鍵は、認証コードを暗号化および復号化するためのものである。さらに説明すると、電子プリペイドカードの購入者に対して、カード識別コードとともに、対応する暗号・復号鍵により暗号化された認証コードが発行される。以下の説明において、暗号・復号鍵により暗号化された認証コードを暗号化認証コードと称する。この暗号化認証コードは、認証コードの暗号化に用いられた暗号・復号鍵で復号できるようになっている。
【００８６】
さらに、電子プリペイドカードに関するレコードには、カード識別コードが発行済みであるか否かを示す発行状況と、登録により電子プリペイドカードが使用されたか否かを示す登録状況が含まれている。
【００８７】
次いで、記憶装置２４８には、電子プリペイドカードの購入者に配布される配布用プログラムとして電子プリペイドカード資産管理サーバプログラムが記憶されている。この電子プリペイドカード資産管理サーバプログラムは、購入者の所有するコンピュータにインストールされ、このコンピュータにより実行されるものである。また、電子プリペイドカード資産管理サーバプログラムは、購入者が購入した電子プリペイドカードの現存状況を管理する機能を有しており、電子プリペイドカードの所有枚数を管理できるようになっている。これに加えて、電子プリペイドカード資産管理サーバプログラムは、他のコンピュータにクライアントプログラムをネットワークを介してインストールする機能を有している。
【００８８】
このクライアントプログラムは、電子プリペイドカード資産管理サーバプログラムがインストールされたコンピュータから、電子プリペイドカードとしてカード識別コードと、対応する暗号化認証コードとを取得する機能を備えている。さらに、クライアントプログラムは、例えばBluetooth（登録商標）やＩｒＤＡなどの近距離無線通信を用いて、移動機に電子プリペイドカード配布プログラムをインストールする機能を有している。
【００８９】
電子プリペイドカード配布プログラムは、クライアントプログラムがインストールされたコンピュータから、カード識別コードと、対応する暗号化認証コードとを取得する機能を備えている。また、電子プリペイドカード配布プログラムは、例えばBluetooth（登録商標）やＩｒＤＡなどの近距離無線通信を用いて、移動機に、カード識別コードと、対応する暗号化認証データとを転送するとともに、登録用プログラムをインストールする機能を有している。
【００９０】
この登録用プログラムは、移動機１０のユーザＵが電子プリペイドカードの登録を行う際に、移動機１０により実行されるものであり、カード識別コードと、対応する暗号化認証コードとを管理サーバ２００’に送信する機能を有している。
【００９１】
次いで、第２実施形態の動作について説明する。
以下の説明において、顧客に景品として配布される電子プリペイドカードは、新聞販売店毎に購入されるのではなく、販売店管理サーバ７０が設置された販売店管理センタにより一括して購入されるものとする。
【００９２】
販売店管理センタの職員は、電子プリペイドカードを購入すべく、販売店管理サーバ７０の操作部を操作する。かかる操作がなされると、販売店管理サーバ７０は、管理サーバ２００’から法人用電子プリペイドカード購入ページ（図１５参照）に対応するＨＴＭＬデータを取得し、この法人用電子プリペイドカード購入ページを表示部に表示する。そして、職員は、販売店管理サーバ７０の操作部を操作して、法人用電子プリペイドカード購入ページに購入申込情報を入力し、次いで、この購入申込情報を管理サーバ２００’に送信する命令を販売店管理サーバ７０に与える。販売店管理サーバ７０は、かかる命令を取得すると、入力された購入申込情報を管理サーバ２００’に送信する。
【００９３】
管理サーバ２００’の制御部２１０は、販売店管理サーバ７０から、購入申込情報を取得すると、購入申込情報に含まれる購入者に電子プリペイドカードを発行するためのカード発行処理を実行する。図２３は、管理サーバ２００’の制御部２１０により実行されるカード発行処理の動作手順を示すフローチャートである。
同図に示すように、先ず、制御部２１０は、発行する電子プリペイドカードの選択を行う（ステップＨ１）。より具体的に説明すると、制御部２１０は、カード情報ファイルＣＩＦ内の電子プリペイドカードに関するそれぞれのレコードにおいて、発行状況が「未発行」のレコードの中から、先払い額の合計が購入金額になるように１または複数のレコードを選択し、そのレコードにおけるカード識別コードを求める。そして、制御部２１０は、選択したレコードの発行状況を「発行済」にする。
【００９４】
次いで、制御部２１０は、ステップＥ１において選択したカード識別コードに対応する認証コードを、暗号・復号鍵を用いて暗号化する（ステップＨ２）。
そして、制御部２１０は、外部接続機器Ｉ／Ｆ部２６０に接続された外部記憶装置の記録メディア（例えばＣＤ−Ｒなど）に、カード識別コードと、暗号化認証コードとを対応付けて記録するとともに、電子プリペイドカード資産管理プログラムも記録し（ステップＨ３）、処理を終了する。
【００９５】
このようにして、カード識別コードと、対応する暗号化認証コードと、電子プリペイドカード資産管理プログラムとが記録された記録メディアは、例えば郵送などにより販売店管理センタに送られる。
販売店管理センタの職員は、送られてきた記録メディアを受け取ると、この記録メディアに記憶されている電子プリペイドカード資産管理プログラムを販売店管理サーバ７０にインストールする。
【００９６】
次いで、販売店管理センタの職員は、購入した電子プリペイドカードを、各新聞販売店に配布すべく販売店管理サーバ７０の操作部を操作する。より具体的に説明すると、職員は、電子プリペイドカードを配布する地域を管轄する新聞販売店を幾つか選択し、それぞれの新聞販売店に電子プリペイドカードをどれだけ配布するか（例えば、各新聞販売店に１０００円分の先払い額の価値を有した電子プリペイドカードを３０枚配布する）といった命令を販売店管理サーバ７０に入力する。
販売店管理サーバ７０は、かかる命令が入力されると、選択された新聞販売店に設けられている販売店端末７２に、クライアントプログラムを販売店専用網７を介してインストールするとともに、指示された分の電子プリペイドカードのカード識別コードと、対応する暗号化認証コードとを販売店端末７２に送信する。このようにして、電子プリペイドカードが販売店端末７２に配布される。
【００９７】
一方、新聞販売店にあっては、販売員は、電子プリペイドカードを景品として顧客に配布するために、販売店管理サーバ７０から配布された電子プリペイドカードを販売員移動機７４に送信すべく販売店端末７２の操作部を操作する。
販売店端末７２は、操作部が操作されると、配布用プログラムと、カード識別コードと、対応する暗号化認証コードとを販売員移動機７４に近距離無線通信を用いて送信する。
【００９８】
このようにして、販売員移動機７４の記憶部に配布用プログラムと、カード識別コードと、対応する暗号化認証コードとが記憶される。そして、販売員は、電子プリペイドカードを顧客に配布すべく、販売員移動機７４を所持して、顧客宅を訪問する。
【００９９】
顧客宅を訪れた販売員は、電子プリペイドカードを顧客が所持する移動機１０に送信すべく、販売員移動機７４の操作部を操作する。販売員移動機７４は、操作部が操作されると、配布用プログラムにしたがって、顧客が所持する移動機１０に、登録用プログラムとともに、カード識別コードと、対応する暗号化認証コードとを、近距離無線通信にて送信する。この結果、移動機１０の記憶部には、登録用プログラムと、カード識別コードと、暗号化認証コードとが記憶され、電子プリペイドカードが顧客に配布される。
【０１００】
次いで、顧客が電子プリペイドカードの登録を行う場合の実施形態の動作について説明する。
図２４は、移動機１０と管理サーバ２００’との動作を示すシーケンス図である。先ず、電子プリペイドカードを景品として譲渡された顧客は、移動機１０の記憶部に記憶された登録用プログラムを起動させるべく、移動機１０の操作部を操作する。移動機１０は、かかる操作がなされると、登録用プログラムにしたがって管理サーバ２００’に登録要求を送信する（ステップＪ１）。
【０１０１】
管理サーバ２００’の制御部２１０は、登録要求を取得すると（ステップＪ２）、登録されるカード識別コードと、対応する暗号化認証コードと、登録を行うユーザＵを特定するための移動機電話番号を取得すべく、移動機１０に登録情報要求を送信する（ステップＪ３）。
移動機１０は、管理サーバ２００’から登録情報要求を取得すると（ステップＪ４）、自機１０の記憶部に記憶されているカード識別コードと、このカード識別コードと対応付けれた暗号化認証コードと、自機１０の移動機電話番号とを登録情報として管理サーバ２００’に送信する（ステップＪ５）。
【０１０２】
管理サーバ２００’の制御部２１０は、登録情報を取得すると（ステップＪ６）、取得した暗号化認証コードから、カード識別コードが正当なものであるかを判別すべく、取得したカード識別コードを検索キーとして、この検索キーを含むレコードをカード情報ファイルＣＩＦから取り出し、取り出したレコードから暗号・復号鍵を取得する（ステップＪ７）。
次いで、制御部２１０は、この暗号・復号鍵により暗号化認証コードが復号化できるか否かを判別する（ステップＪ８）。この判別結果が「ＮＯ」である場合、制御部２１０は、カード識別コードが正当なものでないと判断し、移動機１０にエラー通知を送信する（ステップＪ９）。移動機１０は、管理サーバ２００’からエラー通知を取得すると（ステップＪ１０）、例えば「カード識別コードが不正です」といった旨を表示した後、処理を終了する。
【０１０３】
一方、ステップＪ８における判別結果が「ＹＥＳ」である場合、制御部２１０は、復号化された認証コードと、ステップＪ７において取り出したレコードの認証コードとが一致しているか否かを判別する（ステップＪ１１）。この判別結果が「ＮＯ」である場合、制御部２１０は、移動機１０にエラー通知を送信する（ステップＪ１２）。移動機１０は、エラー通知を取得すると（ステップＪ１３）、例えば「カード認識コードが不正です」という旨を表示した後、処理を終了する。
【０１０４】
一方、ステップＪ１１の判別結果が「ＹＥＳ」である場合、制御部２１０は、ステップＪ７において取り出したレコードの先払い額を移動機１０のユーザＵ（顧客）の通信料金に充当する処理を行う（ステップＪ１４）。
より具体的に説明すると、制御部２１０は、取得した登録情報に含まれる移動機電話番号を検索キーとして、この検索キーを含むレコードをユーザ管理ファイルＵＭＦ（図５参照）から取り出し、取り出したレコードにおける課金情報のうち先払い額の適用金額を、カード識別コードに対応する先払い額だけ増額する。
次いで、制御部２１０は、移動機１０に登録完了通知を送信し（ステップＪ１５）、処理を終了する。
この結果、通信料金の決算日に、通信料金から先払い額の適用金額だけ減額された料金がユーザＵに課金される。
【０１０５】
さて、上述した第２実施形態において、販売店管理センタが顧客に配布する景品として電子プリペイドカードを購入する場合について説明したが、販売店管理センタのような法人ではなく、個人も電子プリペイドカードを購入することができる。個人で購入する場合、第１実施形態で説明したように、この個人（以下、「個人購入者」と称する）は、店舗を訪れ、店員に電子プリペイドカードを購入する旨を伝える。
【０１０６】
次いで、店員は、個人購入者から購入申込情報を取得して、店舗端末６０から管理サーバ２００’に送信する。管理サーバ２００’の制御部２１０は、店舗端末６０から購入申込情報を取得すると、図２３に示すカード発行処理にしたがって処理を実行する。ここで、店舗端末６０から購入申込情報を取得した場合、制御部２１０は、図２３に示すステップＨ３において、発行すべきカード識別コードと、暗号化認証コードとを記録メディアに記録するのではなく、店舗端末６０に送信する。また、購入者が個人購入者の場合、電子プリペイドカード資産管理プログラムではなく、登録用プログラムが店舗端末に送信される。
【０１０７】
一方、店舗端末６０がカード識別コードと、暗号化認証コードと、登録用プログラムを管理サーバ２００’から取得すると、店舗の店員は、個人購入者の移動機１０を店舗端末６０にケーブルなどを用いて接続する。次いで、店員は、店舗端末６０を操作して、カード識別コードと、暗号化認証コードと、登録用プログラムとを移動機１０に記憶させる。
このようにして、移動機１０には、カード識別コードと、暗号化認証コードと、登録用プログラムが記憶される。
また、個人購入者が移動機１０のユーザＵでない場合、店舗端末６０は、取得したカード識別コードと、暗号化認証コードと、登録用プログラムとを、移動機１０が読み取り可能な記録媒体（例えばメモリカードなど）に記録する。そして、店員は、この記録媒体を個人購入者に渡す。これにより、移動機１０を所持しない個人購入者であっても、電子プリペイドカードを購入することができる。
【０１０８】
また、この個人購入者が、購入した電子プリペイドカードを他の人に譲渡する場合、移動機１０に着脱可能に設けられたメモリーカードなどの記録媒体に、自機１０の記憶部に記憶されているカード識別コードと、暗号化認証コードと、登録用プログラムとを記録し、この記録された記録媒体を譲受人に渡すようにする。
なお、このカード識別コードと、暗号化認証コードと、登録用プログラムを記録媒体に記録する機能は、登録用プログラムに設けられていることが望ましく、さらに、この登録用プログラムは、カード識別コードと、暗号化認証コードとを、他の記録媒体に複写記録した場合に、複写元となったカード識別コードと、暗号化認証コードとを複写元の記録媒体から消去する機能を備えることが望ましい。
これにより、カード識別コードと暗号化認証コードとが不正に複写され、この複写されたカード識別コードと暗号化認証コードとが登録されることを防ぐことができる。
【０１０９】
以上説明したように、第２実施形態にあっては、管理サーバ２００’が、譲受人情報を取得し、記憶する必要がない。さらに、管理サーバ２００’は、カード識別コードと、このカード識別コードに対応した認証コードとを管理し、正当な認証コードを取得した場合のみ、カード識別コードに対応した先払い額を通信料金に充当するため、カード識別コードを知得しただけによるプリペイドカードの使用を防止することができる。したがって、譲渡したプリペイドカードが第３者に不正にしようされることが防止される。
【０１１０】
＜変形例および応用例＞
上述した各実施形態は、本発明の一態様を示すものであり、本発明の技術思想の範囲内で任意に変更可能である。そこで以下に、各種の変形例および応用例を説明する。
【０１１１】
（ａ）例えば、上述した第１実施形態にあっては、電子プリペイドカードの所有者が個人に電子プリペイドカードを譲渡する場合、譲渡人が店舗を訪れ、店舗端末６０から譲渡依頼情報を管理サーバ２００に送信しているが、これに限らない。すなわち、法人が電子プリペイドカードを譲渡する場合と同様に、管理サーバ２００に個人用譲渡依頼ページを記憶させておき、譲渡人がこの個人用譲渡依頼ページにアクセスすることにより、譲渡依頼情報を管理サーバ２００に送信するようにしてもよい。
これにより、譲渡人は、店舗を訪れる手間が省け、より簡単に電子プリペイドカードを譲渡する手続きを行うことができる。
【０１１２】
（ｂ）また、第１実施形態にあっては、譲渡人は、譲渡依頼情報として、譲渡するカード識別コードを管理サーバ２００に送信することにより譲渡金額を示すようにしているが、これに限らず、譲渡する先払い額を示す譲渡金額を管理サーバ２００に送信するようにしてもよい。
この場合、管理サーバ２００は、所有者管理ファイルＰＭＦにおいて、譲渡人と対応付けれているカード識別コードのうち、譲渡金額分のカード識別コードを検索し、該当するカード識別コードを譲受人に割り当てる。
【０１１３】
（ｃ）次いで、第１実施形態にあっては、電子プリペイドカードの譲受人が移動機１０のユーザＵの場合について説明したが、譲受人は、移動機１０のに限らない。譲受人が移動機１０のユーザでない場合、管理サーバ２００の制御部２１０は、譲渡依頼情報として、譲受人の移動機電話番号にかえて譲受人の電子メールアドレスを取得し、通知処理において、この電子メールアドレス宛てに、電子プリペイドカードが譲渡された旨を送信する。また、制御部２１０が行う譲渡処理（図９参照）において、ステップＣ５に示す処理は、省略される。
【０１１４】
（ｄ）また、第１実施形態の応用例として、法人が電子プリペイドカードを当選品として配布する場合を例示したが、自社の社員に電子プリペイドカードを配布するといった場合に応用することもできる。
【０１１５】
（ｅ）一方、上述した第２実施形態にあっては、販売店管理センタは、景品を受取る顧客に対してアンケートを実施することが可能である。以下、販売店管理センタがアンケートを実施する場合について説明する。
【０１１６】
販売店管理センタがアンケートを実施する場合、販売店管理センタの職員は、景品用の電子プリペイドカードを購入する際に、購入者情報とともに、アンケートを実施する旨を示すアンケート実施情報を管理サーバ２００’に送信する。管理サーバ２００’は、アンケートを実施する旨を示すアンケート実施情報を取得すると、購入者に配布される記録媒体にアンケート作成プログラムをあわせて記録する。
【０１１７】
このアンケート作成プログラムは、電子プリペイドカード資産管理プログラムの組み込みプログラムとなっており、電子プリペイドカード資産管理プログラムの実行時に、任意に呼び出し可能となっている。さらに、このアンケート作成プログラムは、質問事項や、この質問事項に対する回答形式などの必要事項が入力されると、ＨＴＭＬデータ形式のアンケートページを作成する機能を備えるほか、作成したアンケートページを登録用プログラムに組み込む機能を有している。
一方、登録用プログラムは、アンケートページが組み込まれると、移動機１０により自プログラムが実行され登録処理が行われる際に、アンケートページを表示する機能を有しており、さらに、アンケートページに入力されたアンケートの回答を、アンケート結果情報として管理サーバ２００’に送信する機能を有している。
【０１１８】
管理サーバ２００’は、アンケート結果情報を取得すると、例えば記憶装置に記憶した後、販売店管理サーバに送信する。
これにより、販売店管理センタは、新聞購読者の意見調査を簡単に実施することが可能となり、また、意見調査の回答結果をも簡単に取得することが可能となる。
【０１１９】
【発明の効果】
以上説明したように、本発明によれば、プリペイドカードが不正に使用されることを防止するためセキュリティー性を向上させることができる通信料金処理方法および管理サーバが提供される。
【図面の簡単な説明】
【図１】  本発明の第１実施形態にかかる通信料金処理システムの構成を示す図である。
【図２】  同管理サーバ２００の機能的構成を示すブロック図である。
【図３】  同カード管理ファイルＣＭＦの一例を示す概念図である。
【図４】  同所有者管理ファイルＰＭＦの一例を示す概念図である。
【図５】  同ユーザ管理ファイルＵＭＦの一例を示す概念図である。
【図６】  同譲渡管理ファイルＡＭＦの一例を示す概念図である。
【図７】  店舗端末６０と管理サーバ２００との動作を示すシーケンス図である。
【図８】  店舗端末６０と管理サーバ２００との動作を示すシーケンス図である。
【図９】  譲渡処理の処理手順を示すフローチャートである。
【図１０】  移動機１０と管理サーバ２００との動作を示すシーケンス図である。
【図１１】  管理サーバ２００が送信する電子メールの一例を示す概念図である。
【図１２】  メッセージページの一例を示す概念図である。
【図１３】  登録ページの一例を示す概念図である。
【図１４】  会社サーバ２０と管理サーバ２００との動作を示すシーケンス図である。
【図１５】  購入ページの一例を示す概念図である。
【図１６】  譲渡依頼受付ページの一例を示す概念図である。
【図１７】  会社サーバ２０と管理サーバ２００との動作を示すシーケンス図である。
【図１８】  アンケート作成ページの一例を示す概念図である。
【図１９】  移動機１０と管理サーバ２００との動作を示すシーケンス図である。
【図２０】  本発明の第２実施形態にかかる通信料金処理システムの構成を示す図である。
【図２１】  同管理サーバ２００’の機能的構成を示すブロック図である。
【図２２】  カード情報ファイルＣＩＦの一例を示す概念図である。
【図２３】  カード発行処理の処理手順を示すフローチャートである。
【図２４】  移動機１０と管理サーバ２００’の動作を示すシーケンス図である。
【符号の説明】
２…インターネット、４…移動通信網、６…通信事業者専用網、７…販売店専用網、１０…移動機、２０…会社サーバ、６０…店舗端末、７０…販売店管理サーバ、７２…販売店端末、７４…販売員移動機、２００、２００’…管理サーバ、２１０…制御部、２３０…通信Ｉ／Ｆ部、２４０、２４１、２４２、２４３、２４４、２４５、２４６、２４７、２４８…記憶装置、２６０…外部機器接続Ｉ／Ｆ部
【図１】
0004323119.tif 000002
【図２】
0004323119.tif 000003
【図３】
0004323119.tif 000004
【図４】
0004323119.tif 000005
【図５】
0004323119.tif 000006
【図６】
0004323119.tif 000007
【図７】
0004323119.tif 000008
【図８】
0004323119.tif 000009
【図９】
0004323119.tif 000010
【図１０】
0004323119.tif 000011
【図１１】
0004323119.tif 000012
【図１２】
0004323119.tif 000013
【図１３】
0004323119.tif 000014
【図１４】
0004323119.tif 000015
【図１５】
0004323119.tif 000016
【図１６】
0004323119.tif 000017
【図１７】
0004323119.tif 000018
【図１８】
0004323119.tif 000019
【図１９】
0004323119.tif 000020
【図２０】
0004323119.tif 000021
【図２１】
0004323119.tif 000022
【図２２】
0004323119.tif 000023
【図２３】
0004323119.tif 000024
【図２４】
0004323119.tif 000025